(57)【要約】【課題】閉鎖配電盤の盤内に収容した引出し形受配電機器を、盤扉を閉じたまま盤外からの操作で「運転位置」，「断路位置」への移動，および各位置での鎖錠釈放が行え、また受配電機器の「運転位置」では盤扉を閉位置に拘束して開けられないようにする。【解決手段】引出し形回路遮断器（受配電機器）４を収容した閉鎖配電盤１の盤扉２に対し、その前面側にレバー式の操作ハンドル５、前方から盤扉を貫通して前記ハンドルと回路遮断器との間を連繋する連結桿６、および盤扉の前方に突き出すペダル式のロック解除レバー８ａ，該レバーに連結したストライカー８ｃを備えたロック解除機構８を設け、回路遮断器を盤内の「運転位置」Ａ，「断路位置」Ｂへ移動する際に、盤外からペダル式ロック解除レバー８ａを踏み込んで遮断器に備えたロック機構７を釈放した上で、前記ハンドルを傾動操作して回路遮断器を押込み，引出し移動させる。また、「運転位置」では連結桿６の連結ヘッド６ｂがストッパとなって盤扉２が開かないよう閉位置に拘束する。【選択図】図１
2008220070.tif 000002
【特許請求の範囲】
【請求項１】
引出し形受配電機器を収容した開閉扉付きの閉鎖配電盤であって、盤外からの手動操作により受配電機器を盤内の「運転位置」，「断路位置」に移動するハンドル機構、および前記の「運転位置」，「断路位置」に掛止鎖錠した受配電機器のロックを盤外からの操作により釈放するロック解除機構を装備したものにおいて、
前記のハンドル機構が盤扉の前面側に配した梃子レバー式の操作ハンドルと、盤扉を貫通して前記操作ハンドルと盤内の受配電機器との間を連繋した連結桿とからなり、かつ受配電機器の「運転位置」では前記連結桿を介して盤扉を閉位置に拘束するようにインターロックしたことを特徴とする閉鎖配電盤。
【請求項２】
請求項１に記載の閉鎖配電盤において、連結桿が、盤扉の前方から盤内に差し込んで受配電機器に係脱可能に連結し、盤扉の前方に突き出る前端部に操作ハンドルと結合する連結ヘッドを備えたロッドになり、前記連結ヘッドはその外形を盤扉に開口したロッド挿入穴よりも大に設定したことを特徴とする閉鎖配電盤。
【請求項３】
引出し形受配電機器を収容した開閉扉付きの閉鎖配電盤であって、盤外からの操作により受配電機器を盤内の「運転位置」，「断路位置」に移動する操作ハンドル機構と、受配電機器を前記の「運転位置」，「断路位置」で鎖錠するロック機構、および盤外からの操作により前記ロック機構を釈放するロック解除機構を装備したものにおいて、
前記ロック解除機構が、盤扉の下部に配して扉前面に突き出したペダル式のロック解除レバーと、該ロック解除レバーに連結してその先端を受配電機器に装備のロック釈放レバー操作端に対向させたストライカーとからなることを特徴とする閉鎖配電盤。
【請求項４】
請求項３に記載の閉鎖配電盤において、ペダル式のロック解除レバーを盤扉の裏面側に配して上下可動に案内支持したスライド基板に結合し、かつ該スライド基板を引き上げ位置にばね付勢したた上で、ストライカーはその先端が受配電機器に追随して移動するよう付勢ばねを介して前記スライド基板にヒンジ結合したことを特徴とする閉鎖配電盤。
【請求項５】
請求項４に記載の閉鎖配電盤において、ペダル式ロック解除レバーのスライド基板に並置して、盤扉の背面にはストライカーを折り畳み位置に掛止保持するストッパ部材を設けたことを特徴とする閉鎖配電盤。
【発明の詳細な説明】
【技術分野】
【０００１】
本発明は、盤内に受配電機器として引出し形回路遮断器（例えば高圧真空遮断器）などを収容した閉鎖配電盤に関し、詳しくは盤外からの手動操作により前記受配電機器を盤内の「運転位置」，「断路位置」に移動するハンドル機構、および盤外からの操作で前記「運転位置」，「断路位置」に掛止鎖錠されている受配電機器のロックを釈放するロック解除機構の構造に係わる。
【背景技術】
【０００２】
周知のように、頭記の閉鎖配電盤では引出し形の配電機器本体を車輪付き移動台車に搭載して盤内に設置したクレードル上に配置するとともに、クレードルの背面に主回路断路部の固定接触子を配し、受配電機器を盤内の「運転位置」，「断路位置」に移動することにより該受配電機器から背後に引出した主回路断路部の可動接触子を前記の主回路断路部の固定接触子に接続，断路するようにしている。
ここで、受配電機器を前記の「運転位置」，「断路位置」に移動する操作手段として、従来では梃子レバー式のハンドルを用いて手動により前方から受配電機器を押込み，引出すようにした方式が一般に採用されている（例えば、特許文献１参照）。
また、前記の移動手段に加えて、引出し形受配電機器を「運転位置」，「断路位置」に掛止鎖錠，釈放するインターロック装置を備えて受配電機器の移動操作ミスを防ぐようにしている（例えば、特許文献２参照）。
【特許文献１】特開平１０−１９１５１２号公報
【特許文献２】特開平３−２３５６０４号公報
【発明の開示】
【発明が解決しようとする課題】
【０００３】
前記した従来の閉鎖配電盤では、受配電機器の盤内移動，および鎖錠の釈放操作は閉鎖配電盤の盤扉を開いた上で、保守員が盤内の受配電機器にアクセスして手動で操作するようにしている。これに対して、最近では保守，点検時の人的安全(感電防止)を確保するために、ユーザーの要求として、閉鎖配電盤の盤扉を閉じたまま盤内に収容した引出し形の受配電機器を盤外からの操作で「運転位置」，「断路位置」への移動，および各位置での鎖錠，釈放が行え、さらに「運転位置」では盤扉が開けられないようにインターロックすることが要望されている。
本発明は前記の要望に応えてなされたものであり、その目的は盤内に収容した引出し形受配電機器を、閉鎖配電盤の盤扉を閉じたまま盤外からの簡単な手動操作で「運転位置」，「断路位置」への移動、および各位置での鎖錠釈放が行え、しかも受配電機器の「運転位置」では盤扉を閉位置に拘束して開けられないように改良，工夫したハンドル機構，および鎖錠釈放機構を備えた閉鎖配電盤を提供することにある。
【課題を解決するための手段】
【０００４】
上記目的を達成するために、本発明によれば、引出し形受配電機器を収容した開閉扉付きの閉鎖配電盤であって、盤外からの手動操作で受配電機器を盤内の「運転位置」，「断路位置」に移動するハンドル機構、および前記の「運転位置」，「断路位置」に掛止鎖錠した受配電機器のロックを盤外からの操作により釈放するロック解除機構を装備したものにおいて、
前記のハンドル機構を、盤扉の前面側に配した梃子レバー式の操作ハンドルと、盤扉を貫通して前記操作ハンドルと盤内の受配電機器との間を連繋した連結桿とから構成し、かつ受配電機器の「運転位置」では前記連結桿を介して盤扉を閉位置に拘束するようインターロックするものとする（請求項１）。
ここで、前記連結桿は、盤扉の前方から盤内に差し込んで受配電機器に係脱可能に連結し、かつ盤扉の前方に突き出る前端部に操作ハンドルと結合する連結ヘッドを備えたロッドになり、かつ前記連結ヘッドはその外形を盤扉に開口したロッド挿入穴よりも大に設定する（請求項２）。
【０００５】
また、前記のロック解除機構は、盤扉の下部に配して扉前面に突き出したペダル式のロック解除レバーと、該ロック解除レバーに連結してその先端を受配電機器に装備のロック釈放レバー操作端に対向させたストライカーとから構成するものとし（請求項３）、具体的には前記のペダル式ロック解除レバーを盤扉の裏面側に配して上下可動に案内支持したスライド基板に結合し、かつ該スライド基板を引き上げ位置にばね付勢したた上で、ストライカーはその先端が受配電機器に追随して移動するよう付勢ばねを介して前記スライド基板にヒンジ結合する（請求項４）。
さらに、閉鎖盤の盤扉を開く際には、盤扉と一緒に前記ストライカーを折り畳んだまま引き出せるようにするために、前記したペダル式ロック解除レバーのスライド基板に並置して、盤扉の背面にはストライカーを折り畳み位置に掛止保持するストッパ部材を設ける（請求項５）。
【発明の効果】
【０００６】
上記の構成によれば、閉鎖配電盤の盤扉を閉じたままの状態で、盤扉の前面に組み付けた梃子レバー式の操作ハンドルを手動で前後に傾動操作することにより、盤扉を貫通して盤内の受配電機器に連繋した連結桿を介して受配電機器を「運転位置」，「断路位置」に押込み，引出し移動することができる。
また、受配電機器を「運転位置」に移動してこの位置に掛止鎖錠した状態では、連結桿の前端に設けた連結ヘッドがストッパとして盤扉を閉位置に拘束するので、扉錠を解錠して盤扉を開こうとしても開くことができず、これにより保守員の不測な感電事故を確実に回避できる。
さらに、受配電機器のロック解除機構を足で踏むペダル操作式として盤扉の前方からロックの釈放が行えるようにしたことにより、受配電機器の移動時には足を使ってロックを解除し、同時に手を使ってハンドル操作を行うことができて操作性が大幅に向上する。
【発明を実施するための最良の形態】
【０００７】
以下、本発明の実施の形態を図１〜図４に示す実施例に基づいて説明する。なお、図１（ａ）は受配電機器を盤内の「運転位置」に押し込んでこの位置に掛止鎖錠した状態を表す閉鎖配電盤の内部側視図、図１（ｂ）は閉鎖配電盤の正面図、図２は盤内の「断路位置」で受配電機器に操作ハンドルを連繋して「運転位置」への移動準備を整えた状態を表す盤内前部の側視図、図３〜図５は盤扉に装備したロック解除機構の構成図である。
まず、図１，図２において、１は閉鎖配電盤、２はその前面に配した片開き式の盤扉、３は盤内に設置したクレードル、３ａはクレードル３の背後に配備した主回路断路部、４はクレードル３に搭載した引出し形回路遮断器（受配電機器）、５は盤扉２の前面に配して回路遮断器４を盤内の「運転位置」Ａ，「断路位置」Ｂに移動する操作ハンドル、６は操作ハンドル５と回路遮断器４との間を連繋する連結桿、７は「運転位置」Ａ，「断路位置」Ｂで回路遮断器４をクレードル３に掛止鎖錠するロック機構、８は盤扉の下部に装備して前記ロック機構７を盤外から釈放操作するロック解除機構である。
【０００８】
ここで、回路遮断器４は台車の車輪４ａをクレードル３の底部に敷設したレールに載せて「運転位置」Ａ，「断路位置」Ｂへ移動可能に案内支持し、「運転位置」Ａで回路遮断器４の主回路端子を断路部３ａに接続する。また、前記の「運転位置」Ａ，「断路位置」Ｂで回路遮断器４を掛止鎖錠するためのロック機構７として、クレードル３の底部に設けたロック板７ａに対向して回路遮断器４の台車には昇降式のロックピン７ｂ，および該ロックピン７ｂに連結して回路遮断器４の前部に引出した釈放レバー７ｃを備えている。
この構成で、回路遮断器４を「運転位置」Ａ，「断路位置」Ｂに移動するとロックピン７ｂがロック板７ａに穿孔したロック穴に落ち込んで回路遮断器をこの位置に掛止鎖錠する。また、この鎖錠状態で、回路遮断器４の前方から釈放レバー７ｃを下方に押し下げると、ロックピン７ｂが上昇してロック板７ａから抜け出し、これにより鎖錠が釈放されて回路遮断器４の移動が可能な状態となる。
【０００９】
一方、盤扉２の前面に配した操作ハンドル５は「く」の字形の梃子式レバーであり、その下端を盤扉２の背面側に設けた凹形のハンドル取付板２ａに設けたハンドル受け座２ｂに枢支し、図示の矢印方向に傾動操作するようにする。また、操作ハンドル５と回路遮断器４との間を連繋する連結桿６は、盤扉２の前方からハンドル取付板２ａに穿孔したハンドル挿入穴に差し込んで回路遮断器４の前面に取付けた軸継手６ａに係脱可能に連結するようにしたロッドで、盤扉２の前方に突き出た前端部には操作ハンドル５と係脱可能に結合する連結ヘッド６ｂを備えている。
ここで、前記の軸継手６ａは例えばバヨネット結合方式の継手で、ここに前記連結桿６の先端部を嵌め合わせて捻回することにより連結される。また、連結桿６の前端部に設けた連結ヘッド６ｂは、ハンドル取付板２ａに穿孔したハンドル差込穴より大きな外形サイズを有し、図１（ａ）に示す「運転位置」Ａでは連結ヘッド６ｂが前記したハンドル取付板２ａの前面にほぼ当接して盤扉２をこの位置に拘束するように連結桿６の長さを設定しておく。
【００１０】
次に、先記したロック解除機構８の詳細構造を図３〜図５で説明する。すなわち、ロック解除機構８は、盤扉２の下部に開口した角穴２ｃ（図１（ｂ）参照）を通して扉前方に突き出したペダル式のロック解除レバー８ａと、このロック解除レバー８ａを結合して盤扉２の背面側に上下可動に布設したスライド基板８ｂと、一端を前記スライド基板８ｂにヒンジ結合して先端が前記ロック機構７のロック解錠レバー７ｃに対向するよう盤内に突き出したレバー式のストライカー８ｃとからなる。なお、８ｂ−１はスライド基板８ｂを上下可動に案内支持する段付きボルト、８ｄはスライド基板８ｂを上方に引き上げ付勢する復帰ばね（引っ張りばね）、８ｅはストライカー８ｃをスライド基板８ｂに対して図５の矢印方向へ回動可能に連結したヒンジ、８ｆはストライカー８ｃを盤内に突き出すように駆動する付勢ばねである。
【００１１】
また、ストライカー８ｃに対向して盤扉の裏面側には、ストライカー８ｃを扉側に引き寄せた折り畳み位置に掛止保持させるフック形状のストッパ部材２ｄを備えている。
上記の構成で、盤内に収容した回路遮断器４を盤外から「運転位置」Ａ，「断路位置」Ｂの間で移動する際の操作手順を以下に説明する。まず、閉鎖配電盤１の盤扉２を開いて盤内に搬入した回路遮断器４を図２に示す「断路位置」Ｂに押し込むと、この位置でロック機構７のロックピン７ｂがロック板７ａのロック穴に落ち込んで回路遮断器４がこの位置に自動的に掛止鎖錠される。この状態から、回路遮断器２を「断路位置」Ｂから「運転位置」Ａに押し込んで回路遮断器４を盤内の主回路に接続する場合には、盤扉２を閉じた状態で扉前方から盤内に差し込んだ連結桿６のロッド先端を軸継手６ａに結合し、さらに連結桿６の前端に設けた連結ヘッド６ｂと扉前面に操作ハンドル５との間を連結して移動の準備を整える（図２参照）。なお、この状態では図３，図５で表すようにロック解除機構８のストライカー８ｃが駆動ばね８ｆのばね力を受けて突き出し、その先端が回路遮断器４の台車前端に配したロック解除レバー７ｃの上方に対峙している。
【００１２】
この状態で、次に盤扉２の前方に突き出しているペダル式のロック解除レバー８ａを足で踏むと、スライド基板８ｂと一緒にストライカー８ｃが下降し、前記したロック解除レバー７ｃを押し下げてロック機構７のロックピン７ｂをロック板７ａから離脱させ、これで回路遮断器４のロックが釈放されて移動可能な状態となる。そして、ペダル式のロック解除レバー８ａを踏んだまま操作ハンドル５に手に掛けて盤側へ押し込むと、連結桿６を介して回路遮断器４が図１に示す「運転位置」Ａに移動し、ここでロック解除レバー８ａから足を離すと復帰ばね８ｄのばね力によりスライド基板８ｂと一緒にストライカー８ｃが上昇してロック機構７のロック解除レバー７ｃから上方へ離脱するとともに、自由になったロックピン７ｂが下降してロック板７ａのロック穴に嵌入する。これにより、回路遮断器４は「運転位置」Ａに掛止鎖錠されるとともに、背後の断路部３ａを介して盤内の主回路に接続されて通電状態になる（図１（ａ）参照）。
【００１３】
また、回路遮断器４を「運転位置」Ａに移動してこの位置に掛止鎖錠した図１（ａ）の状態では、連結桿６の前端に設けた連結ヘッド６ｂがストッパとして働き、盤扉２を閉位置に拘束する。したがって盤扉２の錠を解錠しても開くことができず、これにより保守員が誤って盤内の充電部に触れて感電するといった人的事故の発生を防ぐことができる。
なお、この「運転位置」Ａでは、駆動ばね８ｆのばね力を受けたロック解除機構８のストライカー８ｃが図５の鎖線位置に回動して回路遮断器４のロック解除レバー７ｃの上方に対峙している。
一方、盤内の保守点検を行うために回路遮断器４を「運転位置」Ａから「断路位置」Ｂに移動する際には、前記操作と同様にまずロック解除機構８のペダル式ロック解除レバー８ａを踏み込んで回路遮断器４の掛止鎖錠を釈放する。次いで、操作ハンドル５を前記とは逆に手動で手前に引き寄せることにより、連結桿６を介して回路遮断器４が図２の「断路位置」Ｂに移動する。また、この位置でロック解除レバー８ａのペダル離すと、ロック機構７のロックピン７ｂがロック板７ａのロック穴に落ち込んで回路遮断器４がこの位置に掛止鎖錠されるようになる。一方、ロック解除機構６のストライカー８ｃは図３，図５で示すように折り畳まれて上方に後退し、この位置で盤扉２の背面に設けたフック状のストッパ部材２ａに掛止保持される。したがってこの状態で盤扉２を開くと、ストライカー８ｃが折り畳まれたまま盤扉と一緒に配電盤の前方に引き出されるので、ストライカー８ｃがその後の作業の邪魔なることがない。
【００１４】
なお、回路遮断器４を盤内で「運転位置」，「断路位置」に移動操作する以外の通常状態では、ハンドル機構の操作ハンドル５，および連結桿６を閉鎖配電盤１から取り外して保管しておくことが可能である。
【図面の簡単な説明】
【００１５】
【図１】本発明の実施例による閉鎖配電盤の構成図で、（ａ）は盤内に収容した受配電機器を「運転位置」に押し込んでこの位置に掛止鎖錠した状態を表す盤内部の側視図、（ｂ）は閉鎖配電盤の正面図
【図２】図１（ａ）の盤内断路位置」で受配電機器に操作ハンドルを連繋した状態を表す盤内前部の側視図
【図３】図１におけるロック解除機構の詳細構造，動作を表す側視図
【図４】図３におけるロック解除機構の正面図
【図５】図３に対応する平面図
【符号の説明】
【００１６】
１    閉鎖配電盤
２    盤扉
２ａ  ハンドル取付板
２ｄ  ストッパ部材
３    クレードル
４    引出し形回路遮断器
５    操作ハンドル
６    連結桿
６ｂ  連結ヘッド
７    ロック機構
７ａ  ロック板
７ｂ  ロックピン
７ ｃ  ロック解除レバー
８    ロック解除機構
８ａ  ペダル式のロック解除レバー
８ｂ  スライド基板
８ｃ  ストライカー
８ｄ  復帰ばね
８ｅ  ヒンジ
８ｆ  ストライカーの駆動ばね
【図１】
2008220070.tif 000003
【図２】
2008220070.tif 000004
【図３】
2008220070.tif 000005
【図４】
2008220070.tif 000006
【図５】
2008220070.tif 000007